(57)【要約】【課題】軸体の端部に多数の繊維が植毛された綿棒において、生体試料、特に糞便の採取量のバラツキを低減することができる綿棒及びこの綿棒を備える検査キットを提供する。【解決手段】軸体の端部に糞便を採取するための多数の繊維が植毛された採便用の綿棒であって、繊維が植毛されてなる採取部と、採取部から延びる軸部と、を備え、採取部は、少なくとも第一領域及び第二領域と、第一領域と第二領域とを識別するための目印とを有し、第二領域は、第一領域に対して軸部側に位置する。【選択図】図１
2018161469.tif 000002
【特許請求の範囲】
【請求項１】
軸体の端部に糞便を採取するための多数の繊維が植毛された採便用の綿棒であって、
前記繊維が植毛されてなる採取部と、
前記採取部から延びる軸部と、を備え、
前記採取部は、少なくとも第一領域及び第二領域と、前記第一領域と前記第二領域とを識別するための目印とを有し、
前記第二領域は、前記第一領域に対して前記軸部側に位置する、
綿棒。
【請求項２】
前記目印は、着色されてなる、
請求項１に記載の綿棒。
【請求項３】
前記目印は、前記軸体に付されている、
請求項２に記載の綿棒。
【請求項４】
前記目印は、前記第一領域と前記第二領域との境界線上に付されている、
請求項２又は３に記載の綿棒。
【請求項５】
前記目印は、前記採取部の周方向において一部または全周に付されている、
請求項２〜４の何れか一項に記載の綿棒。
【請求項６】
前記目印は、前記第一領域および前記第二領域の少なくとも一方に付されて、前記第一領域と前記第二領域とに互いに異なる色または模様を形成する、
請求項２又は３に記載の綿棒。
【請求項７】
前記目印は、前記採取部の前記軸体に前記繊維が植毛されていないことで形成される、
請求項１に記載の綿棒。
【請求項８】
前記目印は、前記第一領域と前記第二領域との境界線上に形成されている、
請求項７に記載の綿棒。
【請求項９】
請求項１〜８の何れか一項に記載された綿棒と、
前記綿棒で採取された糞便から被検出物を検出する測定デバイスと、を備える検査キット。
【請求項１０】
テストストリップと、採便用の綿棒とを含む検査キットであって、
前記テストストリップは、
試料供給部と、
前記試料供給部の下流側に位置するクロマトグラフ媒体と、
前記クロマトグラフ媒体の一部に位置する、標識試薬が溶出可能に保持された標識試薬保持部と、
前記クロマトグラフ媒体の一部であって前記標識試薬保持部より下流側に位置する、被検出物と結合する抗原又は抗体を含む検出部と、
を有し、
前記綿棒は、
軸体の端部に糞便を採取するための多数の繊維が植毛された採便用の綿棒であって、
前記繊維が植毛されてなる採取部と、
前記採取部から延びる軸部と、を備え、
前記採取部は、少なくとも第一領域及び第二領域と、前記第一領域と前記第二領域とを識別するための目印とを有し、
前記第二領域は、前記第一領域に対して前記軸部側に位置する、
検査キット。
【請求項１１】
前記目印は、着色されてなる、
請求項１０に記載の検査キット。
【請求項１２】
前記目印は、前記軸体に付されている、
請求項１１に記載の検査キット。
【請求項１３】
前記目印は、前記採取部の前記軸体に前記繊維が植毛されていないことで形成される、
請求項１０に記載の検査キット。
【請求項１４】
軸体の端部に生体試料を採取するための多数の繊維が植毛された生体試料採取用綿棒であって、
前記繊維が植毛されてなる採取部と、
前記採取部から延びる軸部と、を備え、
前記採取部は、少なくとも第一領域及び第二領域と、前記第一領域と前記第二領域とを識別して、前記生体試料を定量採取するための目印とを有し、
前記第二領域は、前記第一領域に対して前記軸部側に位置する、
綿棒。
【請求項１５】
前記目印は、軸体に付されて着色されてなる、
請求項１４に記載の綿棒。
【請求項１６】
前記目印は、前記採取部の前記軸体に前記繊維が植毛されていないことで形成される、
請求項１４に記載の綿棒。
【発明の詳細な説明】
【技術分野】
【０００１】
本発明は、綿棒及び検査キットに関する。
【背景技術】
【０００２】
感染症の発見やその原因を特定するために、試料中の細菌やウイルスの検出が重要である。細菌やウイルスの検査方法として、分離培養した後、同定を行う培養法、病原体に特徴的な遺伝子を増幅し検出する遺伝子検査法、電子顕微鏡により同定する方法などが知られている。しかしながら、これらの検査方法は、試料の処理が煩雑である、測定のために熟練した技術が必要である、特別な装置が必要である、結果を得るまでに時間がかかる、短時間で多数の検体を検査できないなどの問題がある。一方、簡易かつ迅速な免疫学的測定法としてイムノクロマトグラフィー法が知られている。イムノクロマトグラフィー法は、血液や尿、糞便などの試料をテストストリップ上に塗布または滴下する（必要に応じて試料を前処理液や希釈液で懸濁、ろ過フィルターでろ過する）という簡単な操作で試料中の測定対象物を検出することができ、また、目視判定が可能であることなどから、広く実施されている。イムノクロマトグラフィー法は、メンブレンに固定化された被検出物に特異的に結合する物質（抗体等）と、金コロイド等で標識した被検出物に特異的に結合する物質（抗体等）を使用して、被検出物と特異的結合物質の複合体を形成し、被検出物を測定する方法である。
【０００３】
従来から、生体試料である糞便から、例えばノロウイルス等の被検出物を検出するために、イムノクロマトグラフィー法を利用した検査キットが用いられている。この検査キットは、糞便を採取するための（採便用）綿棒と、綿棒で採取された糞便から被検出物を抽出する抽出液と、ろ過フィルターと、それを検出するテストストリップ（測定デバイス）と、を備える。イムノクロマトグラフィー法を利用した検査キットを用いて糞便から被検出物を検出する際は、綿棒で糞便を採取し、採取した糞便を抽出液に懸濁し、懸濁液をテストストリップに滴下する。テストストリップのコンジュゲートパッドには、被検出物に結合する標識した抗体が溶出可能に保持されていて、さらにこの下流にあるメンブレン上には被検出物に結合する抗体がライン状に固定されている。このため、懸濁液に被検出物が含まれている場合は、標識した抗体−被検出物−メンブレン上の抗体の複合体が形成されてライン状に呈色するため、ラインの有無を視認することで、糞便に被検出物が含まれているか否かを判定することができる。
【０００４】
イムノクロマトグラフィー法では、試料の量が検出に必要とされる量よりも多い又は少ないと偽陽性や偽陰性となることがあるため、正確な検出結果を得るためには、適切な量の試料を採取できることが望ましい。しかしながら、生体試料の中でも、特に糞便は、水様便、軟便、固形便等と様々な性状を有する。このため、糞便の性状によって採取量にばらつきが生じるという問題がある。また、肛門に綿棒を挿入して糞便を直接採取する場合（直腸便）においては、糞便が肛門によってすりとられてしまうことや、肛門付近の直腸に残留便が少ないため採取量が少なくなってしまうという問題がある。このため、排泄便、直腸便のいずれの採取においても適切に十分な量の糞便を採取できる綿棒が望ましい。
【０００５】
特許文献１には、イムノクロマトグラフィー法に用いる綿球綿棒が記載されている。特許文献１に記載された綿球綿棒は、軸体の端部に綿体部が設けられており、綿体部の外周面には、性質又は種類の異なる糞便の採取量のバラツキを防ぐために、リング状の溝が形成されている。綿体によって製造される綿体部は、一般的に、軸体の端部に接着剤等を介して繊維体を巻き付けることにより形成され、溝は、内壁に突条部が設けられた金型で綿体部を圧縮成型することにより形成される。
【先行技術文献】
【特許文献】
【０００６】
【特許文献１】特許第５９３６７９５号
【特許文献２】特開２００８−１２２３７２号
【特許文献３】国際公開ＷＯ２００４／０８６９７９号
【発明の概要】
【発明が解決しようとする課題】
【０００７】
特許文献１に記載された綿球綿棒の綿体部では、糞便を採取する際は糞便が綿体部の内部に吸収され難く、採取した糞便を抽出液に懸濁する際は吸収された糞便が抽出液に放出され難い。つまり、糞便の採取量が少なく、糞便の放出性が悪いという問題がある。
【０００８】
特許文献２及び３には、軸体の端部に多数の繊維が植毛されたフロックドスワブが記載されている。フロックドスワブでは、軸体から多数の繊維が放射状に延びているため、糞便の採取量が多く、糞便の放出性が良いというメリットがある。しかしながら、フロックドスワブでは、特許文献１に記載された綿体部のように、内壁に突条部が設けられた金型で軸体に植毛された繊維を圧接しても、溝を形成することができない。
【０００９】
そこで、本発明は、軸体の端部に多数の繊維が植毛された綿棒において、生体試料、特に糞便の採取量のバラツキを低減することができる綿棒及びこの綿棒を備える検査キットを提供することを目的とする。
【課題を解決するための手段】
【００１０】
本発明の一側面に係る綿棒は、軸体の端部に糞便を採取するための多数の繊維が植毛された採便用の綿棒であって、繊維が植毛されてなる採取部と、採取部から延びる軸部と、を備え、採取部は、少なくとも第一領域及び第二領域と、第一領域と第二領域とを識別するための目印とを有し、第二領域は、第一領域に対して軸部側に位置する。第一領域と第二領域とを識別するとは、第一領域と第二領域との境界が如何なる位置にあるのかを識別することをいい、例えば、第一領域と第二領域との境界を示すともいう。
【００１１】
この綿棒では、糞便を採取する採取部が、軸体に繊維が植毛されてなるため、糞便の吸収性及び放出性に優れる。しかも、軸体の端部に多数の繊維が植毛された綿棒において、第一領域と第二領域とを識別するための目印を有するため、この目印を頼りに糞便を採取することで、採取量のバラツキを低減して、適切量の糞便を採取することができる。例えば、排泄便を採取する場合は、目印を頼りに第一領域のみで糞便を採取することで、糞便の性状によらず、糞便の採取量のバラツキを低減することができる。一方、直腸便を採取する場合は、採取部全体で糞便を採取することで、十分な量の糞便を採取することができる。
【００１２】
上記の綿棒において、目印は、着色されてなってもよい。目印が着色されてなるため、使用者は、第一領域と第二領域との境界を容易に視認することができる。
【００１３】
上記の綿棒において、目印は、軸体に付されていてもよい。目印が軸体に付されているため、軸体に多数の繊維が植毛されてなる綿棒であっても、目印が繊維に付されている場合に比べて、容易に目印を付すことができる。なお、繊維は軸体に植毛されているため、目印が軸体に付されていても、繊維の間から目印を視認することができる。
【００１４】
上記の綿棒において、目印は、第一領域と第二領域との境界線上に付されていてもよい。目印が第一領域と第二領域との境界線上に付されているため、第一領域と第二領域との境界を的確に視認することができる。
【００１５】
上記の綿棒において、目印は、採取部の周方向において全周に付されていてもよい。目印が全周に付されているため、あらゆる方向から第一領域と第二領域との境界を視認することができる。
【００１６】
上記の綿棒において、目印は、採取部の周方向において一部に付されていてもよい。目印が周方向において一部に付されているため、目印を付す工程を簡略化することができる。
【００１７】
上記の綿棒において、目印は、第一領域および第二領域の少なくとも一方に付されて、第一領域と第二領域とに互いに異なる色または模様を形成してもよい。これにより、第一領域と第二領域との境界を的確に視認することができる。
【００１８】
上記の綿棒において、目印は、採取部の軸体に繊維が植毛されていないことで形成されていてもよい。軸体に多数の繊維が植毛された綿棒では、特許文献１に記載された綿体部のように、内壁に突条部が設けられた金型で圧接しても、綿棒の外周面に凹部を形成することができないが、軸体に多数の繊維が植毛された綿棒において、採取部の軸体の一部に繊維を植毛しない不植毛部を設けることにより、綿棒の外周面に目印を形成することができる。この構成により、採取部の外形から第一領域と第二領域との境界を容易に視認することができる。さらに、採取部の軸体の目印部分に繊維が植毛されていないため、液状の試料であっても第一領域で採取された糞便が第二領域に毛細管現象により移動するのを抑制することができる。これにより、採取量のバラツキを更に低減することができる。
【００１９】
上記の綿棒において、目印である不植毛部は、第一領域と第二領域との境界線上に形成されていてもよい。目印である不植毛部が第一領域と第二領域との境界線上に形成されているため、第一領域と第二領域との境界を的確に視認することができる。
【００２０】
本発明の一側面に係る検査キットは、上述した綿棒と、綿棒で採取された糞便から被検出物を検出する測定デバイスと、を備える。
【００２１】
この検査キットでは、上述した綿棒を備えるため、採取量のバラツキを低減して、適切量の糞便を採取することができる。
【００２２】
上記の検査キットにおいて、測定デバイスは、イムノクロマトグラフィー法により糞便から被検出物を検出してもよい。イムノクロマトグラフィー法を利用することで、目視により被検出物が検出されたか否かを判定することができる。
【００２３】
本発明の一側面に係る検査キットは、テストストリップと、採便用の綿棒とを含み、テストストリップは、試料供給部と、試料供給部の下流側に位置するクロマトグラフ媒体と、クロマトグラフ媒体の一部に位置する、標識試薬が溶出可能に保持された標識試薬保持部と、クロマトグラフ媒体の一部であって標識試薬保持部より下流側に位置する、被検出物と結合する抗原または抗体を含む検出部と、を有し、綿棒は、軸体の端部に糞便を採取するための多数の繊維が植毛された採便用の綿棒であって、繊維が植毛されてなる採取部と、採取部から延びる軸部と、を備え、採取部は、少なくとも第一領域及び第二領域と、第一領域と第二領域とを識別するための目印とを有し、第二領域は、第一領域に対して軸部側に位置する。
【００２４】
この検査キットによれば、生体試料、特に糞便を採取する場合に、吸収性・放出性に優れ、水様便、軟便、及び硬質便など性状が異なる場合であっても、採取量のバラツキを低減し、必要量の糞便を適切に採取でき、被検出物の正確な検出が可能となる。
【００２５】
上記の検査キットの綿棒において、目印は、着色されてなってもよい。目印が着色されてなるため、使用者は、第一領域と第二領域との境界を容易に視認することができる。
【００２６】
上記の検査キットの綿棒において、目印は、軸体に付されていてもよい。目印が軸体に付されているため、軸体に多数の繊維が植毛されてなる綿棒であっても、目印が繊維に付されている場合に比べて、容易に目印を付すことができる。なお、繊維は軸体に植毛されているため、目印が軸体に付されていても、繊維の間から目印を視認することができる。
【００２７】
上記の検査キットの綿棒において、目印は、採取部の軸体に繊維が植毛されていないことで形成されていてもよい。軸体に多数の繊維が植毛された綿棒において、採取部の軸体の一部に繊維を植毛しない不植毛部を設けることにより、綿棒の外周面に目印を形成することができる。これにより、採取部の外形から第一領域と第二領域との境界を容易に視認することができる。しかも、採取部の軸体の目印部分に繊維が植毛されていないため、液状の試料であっても第一領域で採取された糞便が第二領域に毛細管現象により移動するのを抑制することができる。これにより、採取量のバラツキを更に低減することができる。
【００２８】
本発明の一側面に係る綿棒は、軸体の端部に生体試料を採取するための多数の繊維が植毛された生体試料採取用綿棒であって、繊維が植毛されてなる採取部と、採取部から延びる軸部と、を備え、採取部は、少なくとも第一領域及び第二領域と、第一領域と第二領域とを識別して、生体試料を定量採取するための目印とを有し、第二領域は、第一領域に対して軸部側に位置する。
【００２９】
この綿棒では、生体試料を採取する採取部が、軸体に繊維が植毛されてなるため、生体試料の吸収性及び放出性に優れる。しかも、軸体の端部に多数の繊維が植毛された綿棒において、第一領域と第二領域との境界を示す目印を有するため、この目印を頼りに生体試料を採取することで、採取量のバラツキを低減して、適切量の生体試料を採取することができる。
【００３０】
上記の綿棒において、目印は、着色されてなってもよい。目印が着色されてなるため、使用者は、第一領域と第二領域との境界を容易に視認することができる。さらに、上記の綿棒において、目印は、軸体に付されていてもよい。目印が軸体に付されているため、軸体に多数の繊維が植毛されてなる綿棒であっても、目印が繊維に付されている場合に比べて、容易に目印を付すことができる。
【００３１】
上記の綿棒において、目印は、採取部の軸体に繊維が植毛されていないことで形成されていてもよい。軸体に多数の繊維が植毛された綿棒において、採取部の軸体の一部に繊維を植毛しない不植毛部を設けることにより、綿棒の外周面に目印を形成することができる。これにより、採取部の外形から第一領域と第二領域との境界を容易に視認することができる。しかも、採取部の軸体の目印部分に繊維が植毛されていないため、液状の試料であっても第一領域で採取された生体試料が第二領域に毛細管現象により移動するのを抑制することができる。これにより、採取量のバラツキを更に低減することができる。
【発明の効果】
【００３２】
本発明によれば、軸体の端部に多数の繊維が植毛された綿棒において、生体試料、特に糞便の採取量のバラツキを低減することができ、適切量の糞便を採取することができる。
【図面の簡単な説明】
【００３３】
【図１】第一実施形態の綿棒を示す正面図である。
【図２】図１に示す綿棒の一部拡大図である。
【図３】図２に示す綿棒の断面を模式的に示す模式断面図である。
【図４】綿棒の製造方法を説明するための図である。
【図５】綿棒の製造方法を説明するための図である。
【図６】排泄便を採取する方法を説明するための図である。
【図７】直腸便を採取する方法を説明するための図である。
【図８】第一実施形態の綿棒の変形例を示す一部拡大図である。
【図９】第一実施形態の綿棒の変形例を示す一部拡大図である。
【図１０】第一実施形態の綿棒の変形例を示す一部拡大図である。
【図１１】第一実施形態の綿棒の変形例を示す一部拡大図である。
【図１２】第一実施形態の綿棒の変形例を示す一部拡大図である。
【図１３】第一実施形態の綿棒の変形例を示す一部拡大図である。
【図１４】図１３に示す綿棒の製造方法を説明するための図である。
【図１５】図１３に示す綿棒の製造方法を説明するための図である。
【図１６】第一実施形態の綿棒の変形例を示す一部拡大図である。
【図１７】第一実施形態の綿棒の変形例を示す一部拡大図である。
【図１８】第二実施形態の綿棒の一部拡大図である。
【図１９】図１８に示す綿棒の断面を模式的に示す模式断面図である。
【図２０】第三実施形態の綿棒を示す正面図である。
【図２１】第三実施形態の綿棒の一部を示す正面図である。
【図２２】検査キットの測定デバイスを示す模式側面図である。
【図２３】実験結果を示す表である。
【図２４】実験結果を示す表である。
【発明を実施するための形態】
【００３４】
「免疫学的測定法」とは、抗原と抗体の特異的結合を利用して、測定対象である被検出物の検出・定量を行う方法である。本実施形態において、免疫学的測定法として典型的にはイムノクロマトグラフィー法（好ましくは、後述するサンドイッチ型イムノクロマトグラフィー法）が挙げられるが、その他のＥＬＩＳＡ法、ラテックス凝集法、免疫比濁法などを含む。
【００３５】
本実施形態において、「生体試料」とは、特に制限されず、糞便、咽頭・鼻腔拭い液、鼻腔吸引液、血液、血漿、血清、尿、唾液、羊水、髄液、膿、臓器抽出液、各種組織抽出液等であってもよい。
【００３６】
本実施形態において、「糞便試料」とは、糞便由来の試料である限りその具体的な形態は特に制限されず、その由来とする糞便は、硬質便、普通便、軟便、下痢便、水様便などのいずれであってもよい。糞便試料の採取方法として、排泄便は、オムツなどに排出された糞便を綿棒で拭う方法や綿棒にしみこませる方法など、直腸便は綿棒を肛門に挿入して採取する方法などがある。なお、糞便試料は、生体試料の中でも、性状が様々であり、採取量のバラツキを低減することができる本発明の優位性が顕著なものとなる。
【００３７】
本実施形態において、「被検出物」に特に制限はなく、生体試料中に含まれうる物質であればよい。被検出物の一例としては、ウイルス（例えば、ノロウイルス、サポウイルス、ロタウイルス、アデノウイルスなど）、細菌（例えば、赤痢菌、サルモネラ属菌、腸管出血性大腸菌、カンピロバクター属菌など）または大腸がんスクリーニングの対象となる便潜血などが挙げられる。特に、ウイルスや細菌を被検出物として用いることで、正確かつ迅速な判定を可能としうる本発明の優位性が顕著なものとなる。
【００３８】
抗体（抗被検出物抗体）は被検出物の一部を特異的に認識して結合する。認識する物質（抗原）としては、例えば、ウイルスや細菌の表面に存在するタンパク質や糖鎖、核酸などが挙げられるが、特に制限されない。
【００３９】
以下、図面を参照して、本発明に係る綿棒及び検査キットの実施形態を説明する。本実施形態の綿棒は、排泄便及び直腸便の何れも採取可能な綿棒である。本実施形態の検査キットは、イムノクロマトグラフィー法を利用して生体試料である糞便からノロウイルス等の被検出物を検出するためのキットである。なお、各図において同一又は相当する要素については同一の符号を付し、重複する説明を省略する。
【００４０】
［第一実施形態］
図１に示すように、本実施形態の綿棒１は、軸体２の端部に糞便を採取するための多数の繊維３が植毛された採便用のフロックドスワブである。綿棒１は、採取部４と、軸部５と、を備える。なお、綿棒１の軸部５側を綿棒１の基端側といい、綿棒１の採取部４側を綿棒１の先端側という。
【００４１】
図１〜図３に示すように、綿棒１は、軸体２の端部に糞便を採取するための多数の繊維３が植毛された採便用のフロックドスワブである。
【００４２】
軸体２は、細長い棒状に延びる部材である。軸体２の素材は、特に限定されるものではない。軸体２としては、例えば、ポリスチレン、ナイロンなどの各種プラスチック、アルミなどの金属、紙等を用いることができる。繊維３の素材は、特に限定されるものではない。繊維３としては、例えば、レーヨン、ポリエステル、ナイロンなどのポリアミド、炭素繊維、アルギレート等の合成又は人工材料、綿、絹等の天然材料、又はこれらの混紡を用いることができる。軸体２に植毛される多数の繊維３は、略同じ長さである。繊維３の繊維長は、例えば、２５４μｍ以上２５４０μｍ以下である。
【００４３】
軸体２に対する繊維３の植毛は、例えば、フロック加工により行うことができる。フロック加工は、周知の加工方法であり、静電植毛等とも呼ばれる。フロック加工では、まず、軸体２の端部に接着剤を塗布しておく。そして、静電場中で、所定長さの多数の繊維を方向づけて飛ばすことで、接着剤を塗布した軸体２の端部に繊維を付着させる。軸体２に付着した繊維３は、軸体２の表面に対して放射方向に起き上がった（立設した）状態となる。これにより、繊維３間には僅かながら隙間が生じるため、繊維３間の隙間から軸体２及び軸体２の色を視認することができる。
【００４４】
綿棒１は、採取部４と、軸部５と、を備える。採取部４は、綿棒１の端部に位置して、糞便を採取する部位である。採取部４は、軸体２と繊維３とにより構成されており、軸体２に繊維３が植毛されている。採取部４では、軸体２が拡径化されて膨らんでいる。このため、採取部４の外形は、軸体２の膨らみに対応して膨らんでいる。軸部５は、採取部４の基端側に位置して、採取部４から延びる部位である。軸部５は、軸体２のみにより構成されており、軸体２に繊維３が植毛されていない。
【００４５】
採取部４は、第一領域Ａと、第二領域Ｂと、を有する。第一領域Ａは、排泄便及び直腸便を採取するための領域である。第一領域Ａは、軸部５とは反対側に位置する。第二領域Ｂは、直腸便を採取するための領域である。第二領域Ｂは、第一領域の軸部５側に位置する。つまり、採取部４は、軸体２の軸方向において、第一領域Ａと第二領域Ｂとに分けられている。そして、採取部４は、排泄便の採取では、第一領域Ａのみで糞便を採取するようになっており、直腸便の採取では、第一領域Ａ及び第二領域Ｂの双方で糞便を採取するようになっている。軸体２の軸方向における第一領域Ａ及び第二領域Ｂの長さ及び割合は、特に限定されるものではなく、排泄便及び直腸便の採取量に応じて適宜決めることができる。
【００４６】
採取部４は、目印Ｃを有する。目印Ｃは、第一領域Ａと第二領域Ｂとの境界を識別するための目印である。本実施形態では、目印Ｃは、着色されてなる。つまり、目印Ｃは、色により第一領域Ａと第二領域Ｂとの境界を識別するものである。目印Ｃは、軸体２に付されており、繊維３には付されていない。目印Ｃは、第一領域Ａと第二領域Ｂとの境界線上に付されている。目印Ｃは、採取部４の周方向において軸体２の全周に付されている。軸体２の軸方向における目印Ｃの幅は、特に限定されるものではなく、使用者が視認可能な範囲で、適宜決定することができる。
【００４７】
次に、綿棒１の製造方法について説明する。
【００４８】
まず、図４に示すように、軸体２の第一領域Ａと第二領域Ｂとの境界線を着色することで、軸体２に目印Ｃを付す。軸体２に目印Ｃを付す方法は、特に限定されない。例えば、軸体２を回転させながら、インクジェットプリンタ等により軸体２に目印Ｃを印刷することで、軸体２の全周に目印Ｃを付すことができる。そして、図５に示すように、軸体２の採取部４となる部分に、繊維３を植毛する。繊維３の植毛は、フロック加工により行うことができる。これにより、採取部４に目印Ｃが付された綿棒１が完成する。
【００４９】
次に、綿棒１による糞便の採取方法について説明する。
【００５０】
図６に示すように、排泄便を採取する場合は、目印Ｃを頼りに、第一領域Ａのみで糞便Ｚを採取する。つまり、採取部４における目印Ｃよりも先端側の部分にのみ、糞便Ｚを付着させる。一方、図７に示すように、直腸便を採取する場合は、肛門に綿棒１を挿入し、第一領域Ａ及び第二領域Ｂの全体で糞便Ｚを採取する。つまり、採取部４の全体に糞便Ｚを付着させる。
【００５１】
このように、本実施形態の綿棒１では、糞便を採取する採取部４が、軸体２に繊維３が植毛されてなるため、糞便の吸収性及び放出性に優れる。しかも、軸体２の端部に多数の繊維３が植毛された綿棒１において、第一領域Ａと第二領域Ｂとの境界を示す目印Ｃを有するため、目印Ｃは糞便の定量採取のための目印として機能し、この目印Ｃを頼りに糞便を採取することで、採取量のバラツキを低減して、適切量の糞便を採取することができる。例えば、排泄便を採取する場合は、目印Ｃを頼りに第一領域Ａのみで糞便を採取することで、糞便の性状によらず、糞便の採取量のバラツキを低減することができる。一方、直腸便を採取する場合は、採取部４全体で糞便を採取することで、十分な量の糞便を採取することができる。従って、排泄便及び直腸便のいずれの採取においても、１種類の採便用の綿棒で検体の性状に応じた使い分けが可能となる。
【００５２】
また、目印Ｃが着色されてなるため、使用者は、第一領域Ａと第二領域Ｂとの境界を容易に視認することができる。
【００５３】
また、目印Ｃが軸体２に付されているため、軸体２に多数の繊維３が植毛されてなる綿棒１であっても、目印Ｃが繊維３に付されている場合に比べて、容易に目印Ｃを付すことができる。なお、繊維３は軸体２に植毛されているため、目印Ｃが軸体２に付されていても、繊維３の間から目印Ｃを視認することができる。
【００５４】
また、目印Ｃが第一領域Ａと第二領域Ｂとの境界線上に付されているため、第一領域Ａと第二領域Ｂとの境界を的確に視認することができる。
【００５５】
また、目印Ｃが軸体２の全周に付されているため、あらゆる方向から第一領域Ａと第二領域Ｂとの境界を視認することができる。
【００５６】
なお、第一実施形態の綿棒１は、適宜変更することができる。
【００５７】
例えば、目印Ｃは、必ずしも採取部４の周方向において全周に付されている必要は無く、採取部４の周方向において一部に付されていてもよい。つまり、第一領域Ａと第二領域Ｂとの境界線上に付される目印は、ラインに限定されるものではなく、破線、点線（ドット）等も含まれる。例えば、図８に示す綿棒１Ａでは、採取部４の周方向に延びる１又は複数の線状の目印Ｃが、採取部４に付されている。図９に示す綿棒１Ｂでは、採取部４の周方向に配列された複数のドット状の目印Ｃが、採取部４に付されている。このように目印Ｃが付されていても、第一領域Ａと第二領域Ｂとの境界を的確に視認することができる。そして、採取部４の周方向において、目印Ｃが一部に付されているが残りの一部に付されていない場合は、目印Ｃを付す工程を簡略化することができる。
【００５８】
また、目印Ｃは、必ずしも第一領域Ａと第二領域Ｂとの境界線上にのみ付されている必要は無く、他の領域に付されていてもよい。つまり、目印Ｃは、第一領域Ａおよび第二領域Ｂの少なくとも一方に付されて、第一領域Ａと第二領域Ｂとに互いに異なる色または模様を形成するものであってもよい。例えば、図１０に示す綿棒１Ｃでは、目印Ｃが、第一領域Ａの全体に付されている。また、図１１に示す綿棒１Ｄでは、目印Ｃが第二領域Ｂの全体に付されている。このように、目印Ｃが第一領域Ａ又は第二領域Ｂの全体に付されていても、第一領域Ａと第二領域Ｂとの境界を的確に視認することができる。さらに、目印Ｃは、第一領域Ａおよび第二領域Ｂの少なくとも一方に部分的に付されてもよい。このように目印Ｃを付すことで、第一領域Ａと第二領域Ｂとの境界を的確に視認することができる。目印Ｃを軸体２に付すことにより、軸体２の外面を凹凸形状とする必要なく、目印を付すことができる。目印Ｃを軸体２に付すことにより、採取部４の繊維３を着色せずに用いることが可能となる。この場合、繊維３は単一の色からなる単色で構成されていてもよい。また、目印Ｃは、単一の色からなる単色で構成されていてもよく、複数の色からなる多色で構成されていてもよい。
【００５９】
また、採取部４は、必ずしも第一領域Ａ及び第二領域Ｂの２領域のみに分けられている必要は無く、３以上の領域に分けられていてもよい。例えば、図１２に示す綿棒１Ｅでは、第二領域Ｂが、更に第二領域Ｂ１及び第二領域Ｂ２の２領域に分けられている。そして、第二領域Ｂ１と第二領域Ｂ２との境界を示す目印Ｃ１が付されている。目印Ｃ１は、例えば、第二領域Ｂ１と第二領域Ｂ２との境界線上に付されるとともに、採取部４の周方向において全周に延びている。この場合、目標とする採取量に応じて、目印Ｃと目印Ｃ１とを使い分けることができる。例えば、排泄便を第一領域Ａ、直腸便を第一領域Ａ及び第二領域Ｂ１で採取するようにしてもよい。なお、採取部４の領域の数、各領域の境界線の位置、排泄便及び直腸便を採取する領域等は、綿棒の使用形態等によって適宜選択することができる。
【００６０】
また、目印Ｃは、必ずしも軸体２に付されている必要は無く、繊維３に付されていてもよく、軸体２及び繊維３の双方に付されていてもよい。例えば、図１３に示す綿棒１Ｆでは、繊維３に目印Ｃが付されている。ここで、繊維３に目印Ｃを付す方法の一例について説明する。まず、第一回目のフロック加工として、目印Ｃとならない領域には接着剤を塗布し、目印Ｃとなる領域には接着剤を塗布しない。そして、フロック加工により軸体２に繊維３Ａを植毛する。すると、図１４に示すように、目印とならない領域には繊維３Ａが植毛されるが、目印となる領域には繊維３Ａが植毛されない。次に、第二回目のフロック加工として、目印となる領域、つまり、繊維３Ａが植毛されていない領域に接着剤を塗布する。そして、第一回目のフロック加工とは異なる色の繊維３Ｂを、フロック加工により軸体２に植毛する。すると、図１５に示すように、目印Ｃとなる領域のみに繊維３Ｂが植毛される。これにより、目印Ｃとならない領域と目印Ｃとなる領域とで、互いに色の異なる繊維３Ａと繊維３Ｂとが植毛された状態となるため、繊維３Ｂが目印Ｃとなる。なお、繊維３に目印Ｃを付す方法は、上記の方法に限定されるものではなく、他の方法を採用してもよい。なお、目印Ｃを軸体２に付すか、又は繊維３に付すことにより、軸体２の外面を凹凸形状とする必要なく、目印を付すことができる。
【００６１】
また、直腸便の採取において、直腸に対する綿棒１の挿入を適切な挿入長さとするために、軸部５に目印を付してもよい。例えば、図１６に示す綿棒１Ｇでは、軸部５に鍔状の目印Ｄが付されている。目印Ｄは、綿棒１の挿入長さを示す目印である。このように、鍔状の目印Ｄを付すことで、物理的に綿棒１の直腸への挿入長さを規制することができる。また、図１７に示す綿棒１Ｈでは、軸部５に彩色した目印Ｄが付されている。このように、彩色した目印Ｄを付すことで、目視により直腸への挿入量を調整することができる。しかも、彩色した目印Ｄを付す場合は、軸部５の形状は変わらないため、製造コストの上昇を抑制することができる。
【００６２】
［第二実施形態］
第二実施形態は、基本的に第一実施形態と同様であり、採取部４に付される目印Ｃが、採取部４の外周面に形成された不植毛部である点のみ、第一実施形態と相違する。このため、以下では、第一実施形態と相違する事項のみを説明し、第一実施形態と同様の事項の説明を省略する。
【００６３】
図１８及び図１９に示すように、本実施形態の綿棒１Ｊでは、採取部４に付される目印Ｅが、採取部４の外周面に形成された不植毛部である。不植毛部は、採取部４の軸体２に繊維３が植毛されていない部分である。目印Ｅは、採取部４の外形により第一領域Ａと第二領域Ｂとの境界を識別するものである。
【００６４】
具体的に説明すると、目印Ｅでは、繊維３が植毛されておらず、繊維３の高さ分だけ採取部４の外周面が凹んでいる。このように凹んだ不植毛部が、目印Ｅとなる。従って、軸体に多数の繊維が植毛された綿棒において、圧縮成型などの成型により溝を形成できない綿棒であっても、目印を付すことが可能である。また、目印Ｅは、採取部４の軸体２の外周面を凹凸形状とする必要なく、付すことができる。そして、目印Ｅでは採取部４の軸体２に繊維３が植毛されていないため、第一領域Ａの繊維３と第二領域Ｂの繊維３とは、目印Ｅにより分断されるため、互いに採取された糞便の行き来が抑制される。すなわち、第一領域Ａで採取された糞便が第二領域Ｂに移動するのを抑制することができる。これにより、採取量のバラツキを更に低減することができる。特に、毛細管現象により浸透する液状試料、例えば水様便において、優位な効果を有する。
【００６５】
目印Ｅは、第一領域Ａと第二領域Ｂとの境界線上に付されている。目印Ｅは、採取部４の周方向において全周に付されている。軸体２の軸方向における目印Ｅの幅は、特に限定されるものではなく、使用者が視認可能な範囲で、適宜決定することができる。
【００６６】
なお、目印Ｅは、例えば、目印Ｅとなる領域に接着剤を塗布せずにフロック加工を行うことにより、採取部４に付すことができる。
【００６７】
このように、本実施形態の綿棒１Ｊでも、目印Ｅは糞便の定量採取のための目印として機能し、この目印Ｅを頼りに糞便を採取することで、採取量のバラツキを低減して、適切量の糞便を採取することができる。
【００６８】
そして、本実施形態の綿棒１Ｊでは、綿棒１Ｊの外周面に形成された凹部である不植毛部を目印Ｅとするため、軸体２に多数の繊維３が植毛された綿棒１Ｊにおいて、綿棒１Ｊの外周面に目印Ｅを形成することができる。さらに、採取部４の軸体２の目印Ｅ部分に繊維３が植毛されていないため、液状の試料であっても第一領域Ａで採取された糞便が第二領域Ｂに毛細管現象により移動するのを抑制することができる。これにより、採取量のバラツキを更に低減することができる。
【００６９】
また、目印Ｅである不植毛部が第一領域Ａと第二領域Ｂとの境界線上に形成されているため、第一領域Ａと第二領域Ｂとの境界を的確に視認することができる。
【００７０】
なお、第二実施形態の綿棒１Ｊは、適宜変更することができる。
【００７１】
［第三実施形態］
図２０及び図２１に示すように、本実施形態の綿棒１Ｋは、第一実施形態の綿棒１と、綿棒１を密封する容器６と、を備える。綿棒１は、減菌された状態で容器６に密封されていてもよい。容器６は、一方の端部に開口を有する細長い容器部７と、容器部７の開口を塞ぐ蓋部８と、を備える。綿棒１は、蓋部８に固定されており、蓋部８から延びている。綿棒１を容器部７内に挿入して蓋部８を容器部７に締めることで、綿棒１が容器６に密封される。なお、綿棒１の蓋部８側を綿棒１の基端側といい、綿棒１の蓋部８とは反対側を綿棒１の先端側という。抽出液または展開液が、容器６内に注入されていてもよい。
【００７２】
なお、第三実施形態の綿棒１Ｋは、適宜変更することができる。例えば、容器に密封される綿棒として、第一実施形態及び第二実施形態に記載した何れの綿棒を用いてもよい。
【００７３】
［第四実施形態］
本実施形態の検査キットは、第三実施形態の綿棒１Ｋと、綿棒１Ｋの綿棒１で採取された生体試料（糞便）から被検出物を検出する測定デバイス１０と、を備える。この検査キットは、必要に応じて綿棒１で採取した生体試料（糞便）を懸濁させる抽出液または展開液を備えてもよい。抽出液または展開液は、容器６内に注入されていてもよく、別の容器に注入されていてもよい。検査キットに含まれる綿棒１は、減菌された状態で容器６に密封されていてもよい。
【００７４】
本実施形態において、測定デバイス１０は、イムノクロマトグラフィー法により、生体試料である糞便から被検出物を検出するテストストリップである。図２２に示すように、測定デバイス１０は、プラスチック粘着シート１１上に、メンブレン１２、サンプルパッド１３、コンジュゲートパッド１４、及び吸収パッド１５が積層されている。メンブレン１２は、プラスチック粘着シート１１に貼り付けられている。メンブレン１２の一方端部には、コンジュゲートパッド１４及びサンプルパッド１３がこの順で積層されている。メンブレン１２の他方端部には、吸収パッド１５が積層されている。
【００７５】
以下、検査キットの各構成要素について、詳細に説明する。
【００７６】
メンブレン１２は、イムノクロマトグラフィーのクロマトグラフ媒体（固定相）として機能する多孔質体からなる不溶性担体である。メンブレン１２の構成材料である多孔質体としては、例えば、ニトロセルロース膜、セルロース膜、アセチルセルロース膜、ポリスルホン膜、ポリエーテルスルホン膜、ナイロン膜、ガラス繊維、不織布、布などの多孔質シートが挙げられ、特にニトロセルロース膜が好ましく用いられる。
【００７７】
テストライン１６は、メンブレン１２におけるコンジュゲートパッド１４より下流側に位置しており、被検出物と特異的に結合する物質（抗体又は抗原など）が固定されていることで、検出部として機能する。被検出物が抗原性を有する物質である場合、被検出物を特異的に認識する抗被検出物抗体（テストライン抗体）を用いて免疫学的測定法を実施することができる。この場合、抗体の具体的な形態について特に制限はないが、例えば、その被検出物によって免疫された動物の血清から調製する抗血清、抗血清から精製された免疫グロブリン画分から得られるポリクローナル抗体、その分析対象物によって免疫された動物の脾臓細胞を用いる細胞融合によって得られるモノクローナル抗体、または、それらの断片［例えば、Ｆ（ａｂ’）２、Ｆａｂ、Ｆａｂ’、またはＦｖ］を用いることができる。これらの抗体の調製は、公知の方法により行うことができる。
【００７８】
なお、実施する免疫学的測定法は、特に限定されないが、サンドイッチ型免疫学的測定法、特に、モノクローナル抗体−抗原−モノクローナル抗体複合体を形成するサンドイッチ型免疫学的測定法が好ましい。また、被検出物が抗体（すなわち、特定の抗原に対する免疫グロブリン分子）である場合には、当該抗体が特異的に認識する物質（抗原）または免疫グロブリン分子に対する抗体を用いて免疫学的測定法を実施することができる。さらに、被検出物が糖である場合には、糖に対する抗体のほか、レクチンタンパク質などを用いて免疫学的測定法を実施することができる。
【００７９】
コンジュゲートパッド１４は、標識試薬が溶出可能に保持された標識試薬保持部として機能する。コンジュゲートパッド１４の構成材料としては、例えば、セルロースろ紙、ガラス繊維、および不織布などが挙げられ、好ましくはガラス繊維が用いられる。
【００８０】
コンジュゲートパッド１４によって保持される標識試薬は、被検出物と特異的に結合する物質と、適当な標識体との結合体である。「被検出物と特異的に結合する物質」としては、被検出物が抗体である場合には、当該抗体が特異的に認識する物質（抗原）または免疫グロブリン分子に対する抗体が用いられ、被検出物が抗原性を有する物質である場合には、被検出物を特異的に認識する抗被検出物抗体が用いられ、テストライン抗体と同じ抗体を用いてもよい。「標識体」としては、着色粒子が好ましく、例えば、金、銀、白金または銅などの金属粒子または金属コロイド、酸化鉄などの金属酸化物粒子または金属酸化物コロイド、セレン、テルル、硫黄などの非金属粒子、あるいは、色素などを含む着色ラテックス粒子などが挙げられる。
【００８１】
サンプルパッド１３は、試料供給部として機能するが、試料中の不溶物粒子などをろ過する機能をも兼ねることができる。サンプルパッド１３の構成材料としては、例えば、セルロースろ紙、ガラス繊維、ポリウレタン、ポリアセテート、酢酸セルロース、ナイロン、および綿布などの材料が挙げられる。
【００８２】
コントロールライン１７を必要に応じて用いても良い。コントロールライン１７は、メンブレン１２におけるテストライン１６より下流側に位置しており、標識試薬と特異的に結合する物質（例えば、抗体（コントロールライン抗体）など）が固定されていることで、コントロール部として機能する。
【００８３】
吸収パッド１５は、滴下された試料、抽出液、又は展開液がクロマトグラフ媒体を移動することにより吸収されるとともに、検出部に結合しない未反応標識物質などを吸収除去する機能を有する部材である。吸収パッド１５の構成材料について特に制限はなく、例えば、セルロースろ紙、不織布、布、またはセルロースアセテートなどの吸水性材料が用いられる。
【００８４】
なお、これらの部材は、毛細管現象により試料が移動できればよく、サンプルパッド、コンジュゲートパッド、メンブレン、および吸収パッドなどを基材に貼り付けても、単一の多孔性部材シートとしてもよい。
【００８５】
イムノクロマトグラフィー用キットが使用される際、例えば抽出液を用いる場合には、採便容器やマイクロチューブなどの容器中で糞便試料を抽出液と混合し、得られた懸濁液をろ過フィルターに通過させることでろ過処理物の形態の試料を得る。
【００８６】
抽出液ではなく展開液を用いる場合には、例えば、サンプルパッド１３上に重ねたろ過フィルター上に糞便試料を載置した状態で、試料に展開液を滴下するようにしてもよい。
【００８７】
抽出液および展開液は、同一の組成の溶液が抽出液および展開液の双方として機能しうる。抽出液および展開液は、緩衝剤および溶媒（通常は、水）からなる緩衝液を含む。
【００８８】
また、試料容器やマイクロチューブなどにろ過フィルターを用いてもよい。ろ過フィルターを用いることで、試料を含む抽出液をろ過して、検査の妨げとなる固形分（夾雑物）をろ過により除去することができる。なお、ろ過フィルターの構成材料は、被検出物に対して不活性のものであれば特に限定されず、例えば、モルトフィルター、ろ紙、樹脂焼結フィルターなどの多孔性物質、ガラス繊維、脱脂綿などの繊維性物質などが挙げられる。
【００８９】
そして、この検査キットを用いて糞便から被検出物を検出する際は、まず、綿棒１で糞便を採取する。次に、綿棒１を抽出液を含む容器に浸けることで、綿棒１で採取した糞便を抽出液に懸濁させる。次に、この懸濁液をろ過フィルターを通して測定デバイス１０のサンプルパッド１３に滴下する。すると、サンプルパッド１３に滴下された懸濁液は、コンジュゲートパッド１４を通ってメンブレン１２に供給される。このとき、懸濁液中に被検出物が含まれている場合は、被検出物は、コンジュゲートパッド１４に保持されている被検出物と結合する物質と標識体の結合体（標識試薬）と結合する。続いて、懸濁液及び標識試薬と結合した被検出物は、毛細管現象によりメンブレン１２中を移動し、メンブレン１２に配置されたテストライン１６に到達すると、抗原−抗体反応により、固定されたテストライン抗体に被検出物が捕捉されることで、標識試薬−被検出物−テストライン抗体のサンドイッチ複合体が形成され、呈色する。このため、呈色を視認することで、糞便に被検出物が含まれているか否かを判定することができる。さらに、抗原−抗体反応に関与しなかった標識試薬がコントロールライン１７まで移動すると、コントロールライン抗体に標識試薬が捕捉されて呈色することで、懸濁液が適切に流れているかを確認することができる。続いて、懸濁液が吸収パッド１５まで移動して、吸収パッド１５に吸収される。
【００９０】
このように、本実施形態の検査キットでは、第一実施形態の綿棒１を備えるため、糞便の吸収性及び放出性に優れる綿棒１により、採取量のバラツキを低減し、適切量の糞便を採取することができ、被検出物の正確な検出が可能となる。
【００９１】
また、イムノクロマトグラフィー法を利用することで、被検出物が検出されたか否かを簡便に判定することができる。判定は目視による判定が最も簡便であるが、イムノクロマトリーダーを用いることにより定量的に判定することも可能である。
【００９２】
なお、第四実施形態の検査キットは、適宜変更することができる。例えば、検査キットの綿棒としては、第一実施形態及び第二実施形態に記載した何れの綿棒を用いてもよい。
【００９３】
さらに、イムノクロマトグラフィー用キットは、試料をろ過するためのろ過フィルター、および当該試料の抽出液または展開液を備えていてもよい。イムノクロマトグラフィー用キットは、必要に応じてその他の構成要素（例えば、使用説明書、検体抽出用容器など）をさらに備えていてもよい。また、テストストリップは、図示しないプラスチック製の専用ハウジング（試料供給開口部および検出窓部を有する）に格納・搭載し、イムノクロマトグラフィーテストデバイスの形態とされていてもよい。
【００９４】
以上、本発明の実施形態について説明したが、本発明は上記の各実施形態に限定されるものではない。例えば、上記実施形態では、綿棒が採取する生体試料は糞便であるものとして説明したが、綿棒が採取するのは、血液等の生体試料であってもよい。この場合、検査キットの測定デバイスは、血液等の生体試料中の被検出物を検出する。また、上記実施形態では、イムノクロマトグラフィー法を用いる測定デバイスを説明したが、測定デバイスの用途は限定されるものではなく、例えば、イムノクロマトグラフィー法以外の免疫学的測定法を用いる測定デバイスとしてもよい。
【実施例】
【００９５】
実施例１では、本実施形態の綿棒を用いて糞便の採取を行った。本試験において用いた綿棒は、図１８に示す形状を有する、ポリスチレンの軸体の採取部にポリエステル繊維をフロック加工した綿棒である。採取部は、最大直径５．６ｍｍ、軸部側の最小直径２．５ｍｍ、長手方向の長さ１７ｍｍであった。また、固形便２０〜５０ｍｇ、水様便２０〜５０ｍｇを採取できるよう目印を先端から５ｍｍに設けた。そして、目視で先端側から目印までの領域全体で排泄便を採取した。比較例１では、実施例１と同様にフロック加工したが、目印を付していない綿棒を用いて、目視で先端側から５ｍｍまでの領域全体で排泄便を採取した。比較例２では、最大直径２．６ｍｍ、軸部側の最小直径１．５ｍｍ、長手方向の長さ１３．５ｍｍの略円柱形状の綿体部を有する綿球綿棒を用いて、綿体部全体領域で排泄便の採取を行った。排泄便は、固形便として、硬質便〜普通便９６検体、普通便〜軟便１６検体、軟便２５検体、および軟便〜下痢便２１検体、並びに水様便として、液状便７検体であった。この結果、図２３に示すように、本実施形態の綿棒では、採取量の平均値（ｍｇ）、標準偏差Ｓ．Ｄ．値（ｍｇ）およびＣ．Ｖ．値（％）において良好な結果が得られた。
【００９６】
実施例２では、本実施形態の綿棒を用いて糞便の採取を行った。本試験において用いた綿棒は、図１に示す形状を有する、ポリスチレンの軸体の採取部にポリエステル繊維をフロック加工した綿棒である。採取部は、最大直径５．６ｍｍ、軸部側の最小直径２．５ｍｍ、長手方向の長さ１７ｍｍであった。また、固形便２０〜５０ｍｇ、水様便２０〜５０ｍｇを採取できるよう目印を先端から５ｍｍに設けた。そして、目視で先端側から目印までの領域全体で排泄便を採取した。比較例３では、比較例１と同様に、目印を付していないフロック加工の綿棒を用いて、目視で先端側から５ｍｍまでの領域全体で排泄便を採取した。実施例２および比較例３では、性状の異なる５種の排泄便（硬質便〜普通便、普通便〜軟便、軟便、軟便〜下痢便、液状便）から１０検体ずつ採取した。この結果、図２４に示すように、本実施形態の綿棒では、採取量の平均値（ｍｇ）、標準偏差Ｓ．Ｄ．値（ｍｇ）およびＣ．Ｖ．値（％）において良好な結果が得られた。
【符号の説明】
【００９７】
１，１Ａ，１Ｂ，１Ｃ，１Ｄ，１Ｅ，１Ｆ，１Ｇ，１Ｈ，１Ｊ，１Ｋ…綿棒、２…軸体、３，３Ａ，３Ｂ…繊維、４…採取部、５…軸部、６…容器、７…容器部、８…蓋部、１０…測定デバイス、１１…プラスチック粘着シート、１２…メンブレン、１３…サンプルパッド、１４…コンジュゲートパッド、１５…吸収パッド、１６…テストライン、１７…コントロールライン、Ａ…第一領域、Ｂ，Ｂ１，Ｂ２…第二領域、Ｃ，Ｃ１，Ｅ…目印、Ｄ…挿入長さを示す目印、Ｚ…糞便。
【図１】
2018161469.tif 000003
【図２】
2018161469.tif 000004
【図３】
2018161469.tif 000005
【図４】
2018161469.tif 000006
【図５】
2018161469.tif 000007
【図６】
2018161469.tif 000008
【図７】
2018161469.tif 000009
【図８】
2018161469.tif 000010
【図９】
2018161469.tif 000011
【図１０】
2018161469.tif 000012
【図１１】
2018161469.tif 000013
【図１２】
2018161469.tif 000014
【図１３】
2018161469.tif 000015
【図１４】
2018161469.tif 000016
【図１５】
2018161469.tif 000017
【図１６】
2018161469.tif 000018
【図１７】
2018161469.tif 000019
【図１８】
2018161469.tif 000020
【図１９】
2018161469.tif 000021
【図２０】
2018161469.tif 000022
【図２１】
2018161469.tif 000023
【図２２】
2018161469.tif 000024
【図２３】
2018161469.tif 000025
【図２４】
2018161469.tif 000026